(57)【要約】      （修正有）【課題】マクロセル内にスモールセルを有するネットワークにおける干渉調整方法を提供する。【解決手段】方法は、ネットワークにおけるＳｃｅｌｌの中から、プライマリーセカンダリコンポーネントセル（Ｐｓｃｅｌｌ）を選択し、ほかのＳｃｅｌｌをセカンダリセカンダリコンポーネントセル（Ｓｓｃｅｌｌ）として決定３０１し、ユーザ端末（ＵＥ）がアクセスする際に、前記ＵＥの第１受信信号品質パラメータに基づいて、前記ＵＥのサービングＰｓｃｅｌｌを選択３０２し、ＵＥの第２受信信号品質パラメータに基づいて、ＵＥに対してサービングＳｓｃｅｌｌを追加する必要があるかどうかを決定３０３する。Ｐｓｃｅｌｌを決定する際に、Ｐｓｃｅｌｌ間の干渉を最小にするので、スモールセル間の干渉を低減させ、ネットワーク容量を向上させることができる。【選択図】図３
2015015707.tif 000002
【特許請求の範囲】
【請求項１】
干渉調整方法であって、
ネットワークにおけるセカンダリコンポーネントセル（Ｓｃｅｌｌ）の中から、プライマリーセカンダリコンポーネントセル（Ｐｓｃｅｌｌ）を選択し、ほかのＳｃｅｌｌをセカンダリセカンダリコンポーネントセル（Ｓｓｃｅｌｌ）として決定し、
ユーザ端末（ＵＥ）がアクセスする際に、前記ＵＥの第１受信信号品質パラメータに基づいて、前記ＵＥのサービングＰｓｃｅｌｌを選択し、
前記ＵＥの第２受信信号品質パラメータに基づいて、前記ＵＥに対してサービングＳｓｃｅｌｌを追加する必要があるかどうかを決定する、ことを含むことを特徴とする方法。
【請求項２】
ネットワークにおけるＳｃｅｌｌの中からＰｓｃｅｌｌを選択することは、
マクロセル基地局が、各Ｓｃｅｌｌの位置および周波数帯域の情報に基づいて、選択された隣接Ｐｓｃｅｌｌ間の干渉を最小にするように、Ｐｓｃｅｌｌを選択する、ことを含む、ことを特徴とする請求項１に記載の方法。
【請求項３】
ネットワークにおけるＳｃｅｌｌの中からＰｓｃｅｌｌを選択することは、
スモールセル基地局が、隣接Ｓｃｅｌｌからの信号強度をリアルタイムで監視し、隣接Ｓｃｅｌｌからの干渉状況を決定して、自局で決定された、隣接Ｓｃｅｌｌからの干渉状況に基づいて、自局の対応するＳｃｅｌｌの中から、隣接Ｓｃｅｌｌから受けた干渉が最小となるＳｃｅｌｌをＰｓｃｅｌｌとして選択する、ことを含む、ことを特徴とする請求項１に記載の方法。
【請求項４】
ネットワークにおけるＳｃｅｌｌの中からＰｓｃｅｌｌを選択することは、
スモールセル基地局が、隣接スモールセル基地局間の情報交換により、隣接スモールセル基地局に対応するＳｃｅｌｌの設定情報および該隣接スモールセル基地局が選択したＰｓｃｅｌｌの情報を取得し、隣接スモールセル基地局に対応するＳｃｅｌｌの設定情報および該隣接スモールセル基地局が選択したＰｓｃｅｌｌの情報に基づいて、自局の対応するＳｃｅｌｌの中から、隣接Ｓｃｅｌｌから受けた干渉が最小となるＳｃｅｌｌをＰｓｃｅｌｌとして選択する、ことを含む、ことを特徴とする請求項１に記載の方法。
【請求項５】
前記ＵＥの第１受信信号品質パラメータは、ＵＥが受信した各Ｐｓｃｅｌｌの参照信号受信品質（ＲＳＲＱ）を含み、
前記ＵＥのサービングＰｓｃｅｌｌを選択することは、
ＵＥが周りの各ＰｓｃｅｌｌのＲＳＲＱを受信した後、受信された周りの各ＰｓｃｅｌｌのＲＳＲＱが予め設定されたＲＳＲＱ閾値より大きいかどうかを判断し、
ＲＳＲＱが予め設定されたＲＳＲＱ閾値より大きいＰｓｃｅｌｌが１つのみ存在している場合、該Ｐｓｃｅｌｌを該ＵＥのサービングＰｓｃｅｌｌとして選択し、
ＲＳＲＱが予め設定されたＲＳＲＱ閾値より大きいＰｓｃｅｌｌが複数存在している場合、その中から、ＲＳＲＱが最大となるＰｓｃｅｌｌを該ＵＥのサービングＰｓｃｅｌｌとして選択する、ことを含む、ことを特徴とする請求項１に記載の方法。
【請求項６】
前記ＵＥの第１受信信号品質パラメータは、ＵＥが受信した各Ｐｓｃｅｌｌの参照信号受信電力（ＲＳＲＰ）を含み、
前記ＵＥのサービングＰｓｃｅｌｌを選択することは、
ＵＥが周りの各ＰｓｃｅｌｌのＲＳＲＰを受信した後、受信された周りの各ＰｓｃｅｌｌのＲＳＲＰが予め設定されたＲＳＲＰ閾値より大きいかどうかを判断し、
ＲＳＲＰが予め設定されたＲＳＲＰ閾値より大きいＰｓｃｅｌｌが１つのみ存在している場合、該Ｐｓｃｅｌｌを該ＵＥのサービングＰｓｃｅｌｌとして選択し、
ＲＳＲＰが予め設定されたＲＳＲＰ閾値より大きいＰｓｃｅｌｌが複数存在している場合、その中から、ＲＳＲＰが最大となるＰｓｃｅｌｌを該ＵＥのサービングＰｓｃｅｌｌとして選択する、ことを含む、ことを特徴とする請求項１に記載の方法。
【請求項７】
前記ＵＥの第１受信信号品質パラメータは、ＵＥが受信した各Ｐｓｃｅｌｌの参照信号受信電力（ＲＳＲＰ）を含み、
前記ＵＥのサービングＰｓｃｅｌｌを選択することは、
ＵＥが周りの各ＰｓｃｅｌｌのＲＳＲＰおよびＰｃｅｌｌのＲＳＲＰを受信した後、受信されたＰｃｅｌｌのＲＳＲＰと、周りの各ＰｓｃｅｌｌのＲＳＲＰとの差を計算し、
前記の差が予め設定されたオフセットより小さいかどうかをそれぞれ判断し、
予め設定されたオフセットより小さい差が１つのみ存在している場合、この差に対応するＰｓｃｅｌｌを該ＵＥのサービングＰｓｃｅｌｌとして選択し、
予め設定されたオフセットより小さい差が複数存在している場合、これらの差に対応するＰｓｃｅｌｌの中から、ＲＳＲＰが最大となるＰｓｃｅｌｌを該ＵＥのサービングＰｓｃｅｌｌとして選択する、ことを含む、ことを特徴とする請求項１に記載の方法。
【請求項８】
前記ＵＥの第２受信信号品質パラメータは、ＵＥが受信した各Ｓｓｃｅｌｌの参照信号受信品質（ＲＳＲＱ）を含み、
前記ＵＥに対してサービングＳｓｃｅｌｌを追加する必要があるかどうかを決定することは、
ＵＥが各ＳｓｃｅｌｌのＲＳＲＱを受信した後、受信された各ＳｓｃｅｌｌのＲＳＲＱが予め設定された第２のＲＳＲＱ閾値より大きいかどうかをそれぞれ判断し、
受信されたＳｓｃｅｌｌのＲＳＲＱが予め設定された第２のＲＳＲＱ閾値より大きい場合、前記ＳｓｃｅｌｌをサービングＳｓｃｅｌｌとして追加し、
ＲＳＲＱが予め設定された第２のＲＳＲＱ閾値より大きいＳｓｃｅｌｌが存在していない場合、サービングＳｓｃｅｌｌを追加する必要がないと決定する、ことを含む、ことを特徴とする請求項１に記載の方法。
【請求項９】
スモールセル基地局は、ＳｓｃｅｌｌにアクセスするＵＥがあるかどうかに基づいて、Ｓｓｃｅｌｌを起動するかどうかを決定し、ＳｓｃｅｌｌにアクセスするＵＥがある場合、Ｓｓｃｅｌｌを起動し、ＳｓｃｅｌｌにアクセスするＵＥがない場合、Ｓｓｃｅｌｌを起動しない、ことをさらに含むことを特徴とする請求項１に記載の方法。
【請求項１０】
マクロセル基地局であって、
自局のカバー範囲内のセカンダリコンポーネントセル（Ｓｃｅｌｌ）の配置情報に基づいて、前記Ｓｃｅｌｌの中からプライマリーセカンダリコンポーネントセル（Ｐｓｃｅｌｌ）を選択し、ほかのＳｃｅｌｌをセカンダリセカンダリコンポーネントセル（Ｓｓｃｅｌｌ）として決定して、選択結果を前記Ｓｃｅｌｌに通知するＰｓｃｅｌｌ決定手段と、
ユーザ端末（ＵＥ）がアクセスする際に、ＵＥの第１受信信号品質パラメータに基づいて、前記ＵＥのサービングＰｓｃｅｌｌを選択して、前記ＵＥに通知するＰｓｃｅｌｌ設定手段と、
ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、前記ＵＥに通知するＳｓｃｅｌｌ設定手段と、を含むことを特徴とするマクロセル基地局。
【請求項１１】
マクロセル基地局であって、
自局のカバー範囲内の各スモールセル基地局から報告されたプライマリーセカンダリコンポーネントセル（Ｐｓｃｅｌｌ）の設定情報を受信し、自局のカバー範囲内のＰｓｃｅｌｌとセカンダリセカンダリコンポーネントセル（Ｓｓｃｅｌｌ）を決定する設定情報受信手段と、
ユーザ端末（ＵＥ）がアクセスする際に、ＵＥの第１受信信号品質パラメータに基づいて、前記ＵＥのサービングＰｓｃｅｌｌを選択して、前記ＵＥに通知するＰｓｃｅｌｌ設定手段と、
ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、前記ＵＥに通知するＳｓｃｅｌｌ設定手段と、を含むことを特徴とするマクロセル基地局。
【請求項１２】
スモールセル基地局であって、
自局の対応するセカンダリコンポーネントセル（Ｓｃｅｌｌ）の中から、プライマリーセカンダリコンポーネントセル（Ｐｓｃｅｌｌ）を選択し、自局の対応するほかのＳｃｅｌｌをセカンダリセカンダリコンポーネントセル（Ｓｓｃｅｌｌ）として決定する第２のＰｓｃｅｌｌ決定手段と、
ユーザ端末（ＵＥ）がアクセスする際に、ＵＥの第１受信信号品質パラメータに基づいて、前記ＵＥのサービングＰｓｃｅｌｌを選択して、前記ＵＥに通知するＰｓｃｅｌｌ設定手段と、
ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、前記ＵＥに通知するＳｓｃｅｌｌ設定手段と、を含むことを特徴とするスモールセル基地局。
【請求項１３】
前記第２のＰｓｃｅｌｌ決定手段は、
隣接Ｓｃｅｌｌからの信号強度をリアルタイムで監視し、隣接Ｓｃｅｌｌからの干渉状況を決定する下り受信機と、
自局で決定された、隣接Ｓｃｅｌｌからの干渉状況に基づいて、自局の対応するＳｃｅｌｌの中から、隣接Ｓｃｅｌｌから受けた干渉が最小となるＳｃｅｌｌをＰｓｃｅｌｌとして選択するＰｓｃｅｌｌ選択モジュールと、を含む、ことを特徴とする請求項１２に記載のスモールセル基地局。
【請求項１４】
前記第２のＰｓｃｅｌｌ決定手段は、
隣接基地局間の情報交換により、隣接基地局に対応するＳｃｅｌｌの設定情報および該隣接基地局が選択したＰｓｃｅｌｌの情報を取得する情報交換モジュールと、
隣接基地局に対応するＳｃｅｌｌの設定情報および該隣接基地局が選択したＰｓｃｅｌｌの情報に基づいて、自局の対応するＳｃｅｌｌの中から、隣接Ｓｃｅｌｌから受けた干渉が最小となるＳｃｅｌｌをＰｓｃｅｌｌとして選択するＰｓｃｅｌｌ選択モジュールと、を含む、ことを特徴とする請求項１２に記載のスモールセル基地局。
【請求項１５】
ＳｓｃｅｌｌにアクセスするＵＥがあるかどうかに基づいて、Ｓｓｃｅｌｌを起動するかどうかを決定し、ＳｓｃｅｌｌにアクセスするＵＥがある場合、Ｓｓｃｅｌｌを起動し、ＳｓｃｅｌｌにアクセスするＵＥがない場合、Ｓｓｃｅｌｌを起動しないＳｓｃｅｌｌ起動モジュールを、さらに含むことを特徴とする請求項１２に記載のスモールセル基地局。
【発明の詳細な説明】
【技術分野】
【０００１】
本願は、移動通信技術分野に関し、特に、スモールセル環境での干渉調整方法および基地局に関する。
【背景技術】
【０００２】
セルラー移動電話は、人々の通信に極めて大きな便利さをもたらす。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、移動通信分野での重要な組織として、第３世代移動通信技術（３Ｇ：Ｔｈｅ  Ｔｈｉｒｄ  Ｇｅｎｅｒａｔｉｏｎ）の標準化の進展を大幅に促進する。現在、広帯域アクセス技術の挑戦に対処し、かつ、増加しつつある新たなサービスの需要を満たすために、３ＧＰＰは、２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。改善されたＬＴＥ（ＬＴＥ−Ａ：ＬＴＥ−Ａｄｖａｎｃｅｄ）技術は、さらにＬＴＥ技術を基に、スペクトル帯域幅を数倍に増加させ、データレートを数倍に向上させ、もっと多くの移動ユーザに、更なる高速であって性能がさらに優れたサービスを提供する。
【発明の概要】
【発明が解決しようとする課題】
【０００３】
例えば体育館やショッピングセンターなどの区域のようなトラフィック密集区域のネットワーク容量を向上させるために、３ＧＰＰのリリース１２（Ｒｅｌ−１２）の規定では、トラフィック密集区域に、マクロセル（Ｍａｃｒｏ  Ｃｅｌｌ）に加えて、スモールセル（Ｓｍａｌｌ  Ｃｅｌｌ）を配置し、これらのスモールセルによって、大部分のデータトラフィックを負担することができる。トラフィック密集区域内にスモールセルを配置することで、ネットワーク容量を大幅に向上させることができるが、同時に、スモールセルの密度の増加につれて、スモールセル間の干渉も大幅に増加し、かえって、ネットワーク容量の向上が制限されてしまう。
【課題を解決するための手段】
【０００４】
上記の問題を解決するために、本発明の実施例は、干渉調整方法および該方法を実行する基地局を提供し、スモールセル環境に適用することにより、スモールセル間の干渉を低減させ、ネットワーク容量を向上させる。
【０００５】
本発明の実施例で提供されている干渉調整方法は、ネットワークにおけるセカンダリコンポーネントセル（Ｓｃｅｌｌ）の中から、プライマリーセカンダリコンポーネントセル（Ｐｓｃｅｌｌ）を選択し、ほかのＳｃｅｌｌをセカンダリセカンダリコンポーネントセル（Ｓｓｃｅｌｌ）として決定し、ユーザ端末（ＵＥ）がアクセスする際に、前記ＵＥの第１受信信号品質パラメータに基づいて、前記ＵＥのサービングＰｓｃｅｌｌを選択し、前記ＵＥの第２受信信号品質パラメータに基づいて、前記ＵＥに対してサービングＳｓｃｅｌｌを追加する必要があるかどうかを決定する、ことを含む。
【０００６】
ここで、ネットワークにおけるＳｃｅｌｌの中からＰｓｃｅｌｌを選択することは、マクロセル基地局が、各Ｓｃｅｌｌの位置および周波数帯域の情報に基づいて、選択された隣接Ｐｓｃｅｌｌ間の干渉を最小にするように、Ｐｓｃｅｌｌを選択する、ことを含む。
【０００７】
または、ネットワークにおけるＳｃｅｌｌの中からＰｓｃｅｌｌを選択することは、スモールセル基地局が、隣接Ｓｃｅｌｌからの信号強度をリアルタイムで監視し、隣接Ｓｃｅｌｌからの干渉状況を決定して、自局で決定された、隣接Ｓｃｅｌｌからの干渉状況に基づいて、自局の対応するＳｃｅｌｌの中から、隣接Ｓｃｅｌｌから受けた干渉が最小となるＳｃｅｌｌをＰｓｃｅｌｌとして選択する、ことを含む。
【０００８】
または、ネットワークにおけるＳｃｅｌｌの中からＰｓｃｅｌｌを選択することは、スモールセル基地局が、隣接スモールセル基地局間の情報交換により、隣接スモールセル基地局に対応するＳｃｅｌｌの設定情報および該隣接スモールセル基地局が選択したＰｓｃｅｌｌの情報を取得し、隣接スモールセル基地局に対応するＳｃｅｌｌの設定情報および該隣接スモールセル基地局が選択したＰｓｃｅｌｌの情報に基づいて、自局の対応するＳｃｅｌｌの中から、隣接Ｓｃｅｌｌから受けた干渉が最小となるＳｃｅｌｌをＰｓｃｅｌｌとして選択する、ことを含む。
【０００９】
ＵＥの第１受信信号品質パラメータは、ＵＥが受信した各Ｐｓｃｅｌｌの参照信号受信品質（ＲＳＲＱ）を含み、このとき、前記ＵＥのサービングＰｓｃｅｌｌを選択することは、ＵＥが周りの各ＰｓｃｅｌｌのＲＳＲＱを受信した後、受信された周りの各ＰｓｃｅｌｌのＲＳＲＱが予め設定されたＲＳＲＱ閾値より大きいかどうかを判断し、ＲＳＲＱが予め設定されたＲＳＲＱ閾値より大きいＰｓｃｅｌｌが１つのみ存在している場合、該Ｐｓｃｅｌｌを該ＵＥのサービングＰｓｃｅｌｌとして選択し、ＲＳＲＱが予め設定されたＲＳＲＱ閾値より大きいＰｓｃｅｌｌが複数存在している場合、その中から、ＲＳＲＱが最大となるＰｓｃｅｌｌを該ＵＥのサービングＰｓｃｅｌｌとして選択する、ことを含む。
【００１０】
ＵＥの第１受信信号品質パラメータは、ＵＥが受信した各Ｐｓｃｅｌｌの参照信号受信電力（ＲＳＲＰ）を含み、このとき、前記ＵＥのサービングＰｓｃｅｌｌを選択することは、ＵＥが周りの各ＰｓｃｅｌｌのＲＳＲＰを受信した後、受信された周りの各ＰｓｃｅｌｌのＲＳＲＰが予め設定されたＲＳＲＰ閾値より大きいかどうかを判断し、ＲＳＲＰが予め設定されたＲＳＲＰ閾値より大きいＰｓｃｅｌｌが１つのみ存在している場合、該Ｐｓｃｅｌｌを該ＵＥのサービングＰｓｃｅｌｌとして選択し、ＲＳＲＰが予め設定されたＲＳＲＰ閾値より大きいＰｓｃｅｌｌが複数存在している場合、その中から、ＲＳＲＰが最大となるＰｓｃｅｌｌを該ＵＥのサービングＰｓｃｅｌｌとして選択する、ことを含む。
【００１１】
または、前記ＵＥのサービングＰｓｃｅｌｌを選択することは、ＵＥが周りの各ＰｓｃｅｌｌのＲＳＲＰおよびＰｃｅｌｌのＲＳＲＰを受信した後、受信されたＰｃｅｌｌのＲＳＲＰと、周りの各ＰｓｃｅｌｌのＲＳＲＰとの差を計算し、前記の差が予め設定されたオフセットより小さいかどうかをそれぞれ判断し、予め設定されたオフセットより小さい差が１つのみ存在している場合、この差に対応するＰｓｃｅｌｌを該ＵＥのサービングＰｓｃｅｌｌとして選択し、予め設定されたオフセットより小さい差が複数存在している場合、これらの差に対応するＰｓｃｅｌｌの中から、ＲＳＲＰが最大となるＰｓｃｅｌｌを該ＵＥのサービングＰｓｃｅｌｌとして選択する、ことを含む。
【００１２】
上記ＵＥの第２受信信号品質パラメータは、ＵＥが受信した各Ｓｓｃｅｌｌの参照信号受信品質（ＲＳＲＱ）を含み、ここで、前記ＵＥに対してサービングＳｓｃｅｌｌを追加する必要があるかどうかを決定することは、ＵＥが各ＳｓｃｅｌｌのＲＳＲＱを受信した後、受信された各ＳｓｃｅｌｌのＲＳＲＱが予め設定された第２のＲＳＲＱ閾値より大きいかどうかをそれぞれ判断し、受信されたＳｓｃｅｌｌのＲＳＲＱが予め設定された第２のＲＳＲＱ閾値より大きい場合、前記ＳｓｃｅｌｌをサービングＳｓｃｅｌｌとして追加し、ＲＳＲＱが予め設定された第２のＲＳＲＱ閾値より大きいＳｓｃｅｌｌが存在していない場合、サービングＳｓｃｅｌｌを追加する必要がないと決定する、ことを含む。
【００１３】
上記の方法は、スモールセル基地局が、ＳｓｃｅｌｌにアクセスするＵＥがあるかどうかに基づいて、Ｓｓｃｅｌｌを起動するかどうかを決定し、ＳｓｃｅｌｌにアクセスするＵＥがある場合、Ｓｓｃｅｌｌを起動し、ＳｓｃｅｌｌにアクセスするＵＥがない場合、Ｓｓｃｅｌｌを起動しない、ことをさらに含む。
【００１４】
本発明の実施例で提供されているマクロセル基地局は、自局のカバー範囲内のセカンダリコンポーネントセル（Ｓｃｅｌｌ）の配置情報に基づいて、前記Ｓｃｅｌｌの中からプライマリーセカンダリコンポーネントセル（Ｐｓｃｅｌｌ）を選択し、ほかのＳｃｅｌｌをセカンダリセカンダリコンポーネントセル（Ｓｓｃｅｌｌ）として決定して、選択結果を前記Ｓｃｅｌｌに通知するＰｓｃｅｌｌ決定手段と、ユーザ端末（ＵＥ）がアクセスする際に、ＵＥの第１受信信号品質パラメータに基づいて、前記ＵＥのサービングＰｓｃｅｌｌを選択して、前記ＵＥに通知するＰｓｃｅｌｌ設定手段と、ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、前記ＵＥに通知するＳｓｃｅｌｌ設定手段と、を含む。
【００１５】
本発明の実施例で提供されているほかのマクロセル基地局は、自局のカバー範囲内の各スモールセル基地局から報告されたプライマリーセカンダリコンポーネントセル（Ｐｓｃｅｌｌ）の設定情報を受信し、自局のカバー範囲内のＰｓｃｅｌｌとセカンダリセカンダリコンポーネントセル（Ｓｓｃｅｌｌ）を決定する設定情報受信手段と、ユーザ端末（ＵＥ）がアクセスする際に、ＵＥの第１受信信号品質パラメータに基づいて、前記ＵＥのサービングＰｓｃｅｌｌを選択して、前記ＵＥに通知するＰｓｃｅｌｌ設定手段と、ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、前記ＵＥに通知するＳｓｃｅｌｌ設定手段と、を含む。
【００１６】
本発明の実施例で提供されているスモールセル基地局は、自局の対応するセカンダリコンポーネントセル（Ｓｃｅｌｌ）の中から、プライマリーセカンダリコンポーネントセル（Ｐｓｃｅｌｌ）を選択し、自局の対応するほかのＳｃｅｌｌをセカンダリセカンダリコンポーネントセル（Ｓｓｃｅｌｌ）として決定する第２のＰｓｃｅｌｌ決定手段と、ユーザ端末（ＵＥ）がアクセスする際に、ＵＥの第１受信信号品質パラメータに基づいて、前記ＵＥのサービングＰｓｃｅｌｌを選択して、前記ＵＥに通知するＰｓｃｅｌｌ設定手段と、ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、前記ＵＥに通知するＳｓｃｅｌｌ設定手段と、を含む。
【００１７】
ここで、第２のＰｓｃｅｌｌ決定手段は、隣接Ｓｃｅｌｌからの信号強度をリアルタイムで監視し、隣接Ｓｃｅｌｌからの干渉状況を決定する下り受信機と、自局で決定された、隣接Ｓｃｅｌｌからの干渉状況に基づいて、自局の対応するＳｃｅｌｌの中から、隣接Ｓｃｅｌｌから受けた干渉が最小となるＳｃｅｌｌをＰｓｃｅｌｌとして選択するＰｓｃｅｌｌ選択モジュールと、を含む。
【００１８】
または、第２のＰｓｃｅｌｌ決定手段は、隣接基地局間の情報交換により、隣接基地局に対応するＳｃｅｌｌの設定情報および該隣接基地局が選択したＰｓｃｅｌｌの情報を取得する情報交換モジュールと、隣接基地局に対応するＳｃｅｌｌの設定情報および該隣接基地局が選択したＰｓｃｅｌｌの情報に基づいて、自局の対応するＳｃｅｌｌの中から、隣接Ｓｃｅｌｌから受けた干渉が最小となるＳｃｅｌｌをＰｓｃｅｌｌとして選択するＰｓｃｅｌｌ選択モジュールと、を含む。
【００１９】
上記のスモールセル基地局は、ＳｓｃｅｌｌにアクセスするＵＥがあるかどうかに基づいて、Ｓｓｃｅｌｌを起動するかどうかを決定し、ＳｓｃｅｌｌにアクセスするＵＥがある場合、Ｓｓｃｅｌｌを起動し、ＳｓｃｅｌｌにアクセスするＵＥがない場合、Ｓｓｃｅｌｌを起動しないＳｓｃｅｌｌ起動モジュールをさらに含むようにしてよい。
【発明の効果】
【００２０】
上記の実施例から分かるように、上記方法は、Ｐｓｃｅｌｌを決定する際に、Ｐｓｃｅｌｌ間の干渉を最小にすることを目的とするので、スモールセル間の干渉を低減させ、ネットワーク容量を向上させることができる。
【図面の簡単な説明】
【００２１】
【図１】スモールセル配置を有する従来のネットワーク構成を示す図である。
【図２】スモールセル配置を有する従来のほかのネットワーク構成を示す図である。
【図３】本発明の実施例に係る干渉調整方法のフローチャートである。
【図４】本発明の一実施例に係るマクロセル基地局の構成を示す図である。
【図５】本発明のほかの実施例に係るマクロセル基地局の構成を示す図である。
【図６】本発明の一実施例に係るスモールセル基地局の構成を示す図である。
【発明を実施するための形態】
【００２２】
図１は、スモールセル配置を有する従来のネットワーク構成を示す図である。通常、３ＧＰＰの規定においては、マクロセルが、プライマリーコンポーネントセルまたはプライマリーセル（Ｐｃｅｌｌ：Ｐｒｉｍａｒｙ  Ｃｅｌｌ）と呼ばれ、該マクロセルのカバー範囲内の１つまたは複数のスモールセルが、セカンダリコンポーネントセルまたはセカンダリセル（Ｓｃｅｌｌ：Ｓｅｃｏｎｄａｒｙ  Ｃｅｌｌ）と呼ばれる。図１に示すように、１つのマクロセルＰｃｅｌｌのカバー範囲内に、同時に、Ｓｃｅｌｌ  １、Ｓｃｅｌｌ  ２、Ｓｃｅｌｌ  ３、Ｓｃｅｌｌ  ４、Ｓｃｅｌｌ  ５およびＳｃｅｌｌ  ６である複数のスモールセルが配置されている。ここで、各Ｓｃｅｌｌそれぞれは、１つのコンポーネントキャリア（ＣＣ：Ｃｏｍｐｏｎｅｎｔ  Ｃａｒｒｉｅｒ）に対応し、例えば、Ｓｃｅｌｌ  １、Ｓｃｅｌｌ  ２およびＳｃｅｌｌ  ３はＣＣ０に対応し、Ｓｃｅｌｌ  ４、Ｓｃｅｌｌ  ５およびＳｃｅｌｌ  ６はＣＣ１に対応する。各ＣＣ同士が直交しているので、ネットワーク内のある位置は、同時に、異なるＣＣに対応する複数のＳｃｅｌｌのカバー範囲内にある可能性がある。例えば、図１において、ユーザＵＥ１は、同時に、Ｓｃｅｌｌ  ２とＳｃｅｌｌ  ５のカバー範囲内にある。図１において、ＢＳａ１は、マクロセル基地局またはプライマリーコンポーネントセル基地局であり、ＢＳｂ１、ＢＳｂ２およびＢＳｂ３は、スモールセル基地局またはセカンダリコンポーネントセル基地局である。
【００２３】
図２は、スモールセル配置を有する従来のほかのネットワーク構成を示す図である。図２に示すネットワーク構成において、マクロセルＰｃｅｌｌが配置されていないが、Ｓｃｅｌｌ  １、Ｓｃｅｌｌ  ２、Ｓｃｅｌｌ  ３、Ｓｃｅｌｌ  ４、Ｓｃｅｌｌ  ５およびＳｃｅｌｌ  ６である複数のスモールセルのみが配置されている。同様に、その中の各Ｓｃｅｌｌそれぞれは、１つのＣＣに対応し、例えば、Ｓｃｅｌｌ  １、Ｓｃｅｌｌ  ２およびＳｃｅｌｌ  ３はＣＣ０に対応し、Ｓｃｅｌｌ  ４、Ｓｃｅｌｌ  ５およびＳｃｅｌｌ  ６はＣＣ１に対応する。同様に、各ＣＣ同士が直交しているので、図２におけるユーザＵＥ１は、同時に、Ｓｃｅｌｌ  ２とＳｃｅｌｌ  ５のカバー範囲内にあってもよい。図２において、ＢＳｂ１、ＢＳｂ２およびＢＳｂ３は、スモールセル基地局またはセカンダリコンポーネントセル基地局である。
【００２４】
上記の図１または図２に示すネットワーク構成で、Ｓｃｅｌｌが密集配置される場合、Ｓｃｅｌｌ間の干渉が大きくなることで、ネットワーク容量の向上が制限されてしまうという問題を解決するために、本発明の実施例は、スモールセル環境での干渉調整方法を提供している。図３に示すように、該方法の具体的なフローは、主に、下記のステップを含む。
【００２５】
ステップ３０１では、ネットワークにおけるＳｃｅｌｌの中から、隣接プライマリーＳｃｅｌｌ（Ｐｓｃｅｌｌ：Ｐｒｉｍａｒｙ  Ｓｃｅｌｌ）間の干渉を最小にするように、Ｐｓｃｅｌｌを選択し、ほかのＳｃｅｌｌをセカンダリＳｃｅｌｌ（Ｓｓｃｅｌｌ：Ｓｅｃｏｎｄａｒｙ  Ｓｃｅｌｌ）として決定する。
【００２６】
ステップ３０２では、ＵＥがアクセスする際に、前記ＵＥの第１受信信号品質パラメータに基づいて、前記ＵＥのサービングＰｓｃｅｌｌを選択する。
【００２７】
ステップ３０３では、前記ＵＥの第２受信信号品質パラメータに基づいて、前記ＵＥに対してサービングＳｓｃｅｌｌを追加する必要があるかどうかを決定する。
【００２８】
具体的に、上記のステップ３０１は、Ｐｓｃｅｌｌ間の干渉を最小にすることを目的とすべきであり、つまり、Ｓｃｅｌｌの中から選択されたＰｓｃｅｌｌは、隣接するＰｓｃｅｌｌ間の干渉が最小となることを、できるだけ満足すべきである。実際の応用中、Ｐｓｃｅｌｌの選択は、以下の複数の方法のうちの１つで実現してよい。
【００２９】
方法１は、マクロセル基地局がＰｓｃｅｌｌの選択を完成するものであり、該方法が、図１に示すネットワーク構成に適用する。
【００３０】
Ｓｃｅｌｌの配置が完了すると、通常、マクロセル基地局は、自局のカバー範囲内の全てのＳｃｅｌｌの配置情報、即ち、各Ｓｃｅｌｌの位置情報および周波数帯域情報を取得することができる。この場合、マクロセル基地局は、各Ｓｃｅｌｌの位置および周波数帯域の情報に基づいて、Ｐｓｃｅｌｌの選択を行うようにしてよい。例えば、マクロセル基地局は、従来の図に示される方法により、隣接するＳｃｅｌｌの間に、できるだけ、異なる周波数帯域に対応するＳｃｅｌｌを隣接Ｐｓｃｅｌｌとして選択するようにしてよい。これにより、異なる周波数帯域間の直交性を利用することで、選択された隣接Ｐｓｃｅｌｌ間の干渉を最小にする。
【００３１】
例えば、図１に示すネットワーク構成において、Ｐｃｅｌｌのカバー範囲内のＳｃｅｌｌは、合わせて６つがある。ここで、Ｓｃｅｌｌ  １、Ｓｃｅｌｌ  ２およびＳｃｅｌｌ  ３はＣＣ０に対応し、Ｓｃｅｌｌ  ４、Ｓｃｅｌｌ  ５およびＳｃｅｌｌ  ６はＣＣ１に対応する。このような場合で、ＢＳａ１は、Ｓｃｅｌｌ  １、Ｓｃｅｌｌ  ５およびＳｃｅｌｌ  ６をＰｓｃｅｌｌとして選択するようにしてよい。Ｓｃｅｌｌ  １とＳｃｅｌｌ  ５、Ｓｃｅｌｌ  ６とは、それぞれ、異なるＣＣに対応するので、Ｓｃｅｌｌ  １とＳｃｅｌｌ  ５、Ｓｃｅｌｌ  ６との間の干渉は、大きくない。
【００３２】
方法２は、スモールセル基地局が下り受信機を有する場合で採用するものであり、該方法が、図１と図２に示すネットワーク構成に適用する。
【００３３】
通常、スモールセルのネットワーク環境で、１つのスモールセル基地局は、複数の周波数帯域を使用することができ、各周波数帯域それぞれが１つのＳｃｅｌｌ、即ち、セカンダリコンポーネントセルまたはセカンダリセルに対応する。つまり、１つのスモールセル基地局は、複数のＳｃｅｌｌに対応する。該スモールセル基地局が下り受信機を有する場合、スモールセル基地局は、隣接Ｓｃｅｌｌからの信号強度をリアルタイムで監視することにより、隣接Ｓｃｅｌｌからの干渉状況を決定することができる。このような場合で、該スモールセル基地局は、自局で決定された、隣接Ｓｃｅｌｌからの干渉状況に基づいて、自局の対応するＳｃｅｌｌの中から、隣接Ｓｃｅｌｌから受けた干渉が最小となるＳｃｅｌｌをＰｓｃｅｌｌとして選択するようにしてよい。
【００３４】
例えば、図１に示すネットワーク構成において、スモールセル基地局ＢＳｂ１は、２つの周波数帯域を使用し、この２つの周波数帯域が、それぞれ、Ｓｃｅｌｌ  １とＳｃｅｌｌ  ４に対応し、該スモールセル基地局は、隣接Ｓｃｅｌｌ（例えば、Ｓｃｅｌｌ  ２、Ｓｃｅｌｌ  ３、Ｓｃｅｌｌ  ５およびＳｃｅｌｌ  ６）からの信号強度をリアルタイムで監視することにより、隣接Ｓｃｅｌｌからの干渉状況を決定する。Ｓｃｅｌｌ  １のＳｃｅｌｌ  ２、Ｓｃｅｌｌ  ３、Ｓｃｅｌｌ  ５およびＳｃｅｌｌ  ６から受けた干渉が、Ｓｃｅｌｌ  ４のＳｃｅｌｌ  ２、Ｓｃｅｌｌ  ３、Ｓｃｅｌｌ  ５およびＳｃｅｌｌ  ６から受けた干渉より小さいと決定できれば、Ｓｃｅｌｌ  １をＰｓｃｅｌｌとして選択する。同じ方法により、Ｓｃｅｌｌ  ２とＳｃｅｌｌ  ５に対応するスモールセル基地局ＢＳｂ２は、Ｓｃｅｌｌ  ５をＰｓｃｅｌｌとして選択するようにしてよく、Ｓｃｅｌｌ  ３とＳｃｅｌｌ  ６に対応するスモールセル基地局ＢＳｂ３は、Ｓｃｅｌｌ  ６をＰｓｃｅｌｌとして選択するようにしてよい。
【００３５】
方法３について、該方法が、図１と図２に示すネットワーク構成に適用する。
【００３６】
スモールセル基地局が下り受信機を有しない場合、隣接スモールセル基地局の間で、基地局間の情報の交換により、隣接スモールセル基地局に対応するＳｃｅｌｌの設定情報および該隣接スモールセル基地局が選択したＰｓｃｅｌｌの情報を取得することができる。これにより、自局の対応するＳｃｅｌｌの中から、隣接Ｓｃｅｌｌから受けた干渉が最小となるＳｃｅｌｌをＰｓｃｅｌｌとして選択する。
【００３７】
例えば、図１に示すネットワーク構成において、スモールセル基地局ＢＳｂ１は、２つの周波数帯域を使用し、この２つの周波数帯域が、それぞれ、Ｓｃｅｌｌ  １とＳｃｅｌｌ  ４に対応する。該スモールセル基地局は、隣接基地局との情報交換により、隣接スモールセル基地局ＢＳｂ２がＳｃｅｌｌ  ５をＰｓｃｅｌｌとして選択し、Ｓｃｅｌｌ  ５に対応するＣＣがＣＣ１であり、ほかの隣接スモールセル基地局ＢＳｂ３がＳｃｅｌｌ  ６をＰｓｃｅｌｌとして選択し、Ｓｃｅｌｌ  ６に対応するＣＣもＣＣ１である、ということを取得する。そうすると、該基地局は、情報交換の結果に基づいて、隣接Ｐｓｃｅｌ間の干渉を最小にするように、自局に対応するＰｓｃｅｌｌがＳｃｅｌｌ  １であると決定することができる。
【００３８】
上記のステップ３０２で、ＵＥの第１受信信号品質パラメータは、具体的に、ＵＥが受信した各Ｐｓｃｅｌｌの参照信号受信電力（ＲＳＲＰ）または参照信号受信品質（ＲＳＲＱ）であってよい。具体的に、本ステップ３０２で、以下の３つの方法により、ＵＥがアクセスする際に、該ＵＥのサービングＰｓｃｅｌｌを選択するようにしてよい。
【００３９】
方法１では、ＵＥが受信した各ＰｓｃｅｌｌのＲＳＲＱに基づいて、判断を行う。
【００４０】
ＵＥは、周りの各ＰｓｃｅｌｌのＲＳＲＱを受信した後、まず、受信された周りの各ＰｓｃｅｌｌのＲＳＲＱが予め設定されたＲＳＲＱ閾値より大きいかどうかを判断し、そのＲＳＲＱが予め設定されたＲＳＲＱ閾値より大きいＰｓｃｅｌｌが１つのみ存在している場合、該Ｐｓｃｅｌｌを該ＵＥのサービングＰｓｃｅｌｌとして選択し、そのＲＳＲＱが予め設定されたＲＳＲＱ閾値より大きいＰｓｃｅｌｌが複数存在している場合、その中から、ＲＳＲＱが最大となるＰｓｃｅｌｌを該ＵＥのサービングＰｓｃｅｌｌとして選択する。
【００４１】
例えば、図１におけるＵＥ１は、Ｓｃｅｌｌ  １、Ｓｃｅｌｌ  ５およびＳｃｅｌｌ  ６を含む周りのＰｓｃｅｌｌのＲＳＲＱを受信した後、まず、Ｓｃｅｌｌ  １、Ｓｃｅｌｌ  ５およびＳｃｅｌｌ  ６のＲＳＲＱが予め設定されたＲＳＲＱ閾値ｔｈｒｅ１より大きいかどうかを判断する。結果として、例えば、Ｓｃｅｌｌ  １とＳｃｅｌｌ  ５のＲＳＲＱが予め設定されたＲＳＲＱ閾値ｔｈｒｅ１より大きい。このような場合で、さらに、Ｓｃｅｌｌ  １とＳｃｅｌｌ  ５のＲＳＲＱの大小を判断し、Ｓｃｅｌｌ  ５のＲＳＲＱがＳｃｅｌｌ  １のＲＳＲＱより大きいので、Ｓｃｅｌｌ  ５をＵＥ１のサービングＰｓｃｅｌｌとして選択する。
【００４２】
方法２では、ＵＥが受信した各ＰｓｃｅｌｌのＲＳＲＰに基づいて、判断を行う。
【００４３】
ＵＥは、周りの各ＰｓｃｅｌｌのＲＳＲＰを受信した後、まず、受信された周りの各ＰｓｃｅｌｌのＲＳＲＰが予め設定されたＲＳＲＰ閾値より大きいかどうかを判断し、そのＲＳＲＰが予め設定されたＲＳＲＰ閾値より大きいＰｓｃｅｌｌが１つのみ存在している場合、該Ｐｓｃｅｌｌを該ＵＥのサービングＰｓｃｅｌｌとして選択し、そのＲＳＲＰが予め設定されたＲＳＲＰ閾値より大きいＰｓｃｅｌｌが複数存在している場合、その中から、ＲＳＲＰが最大となるＰｓｃｅｌｌを該ＵＥのサービングＰｓｃｅｌｌとして選択する。
【００４４】
例えば、図１におけるＵＥ１は、Ｓｃｅｌｌ  １、Ｓｃｅｌｌ  ５およびＳｃｅｌｌ  ６を含む周りのＰｓｃｅｌｌのＲＳＲＰを受信した後、まず、Ｓｃｅｌｌ  １、Ｓｃｅｌｌ  ５およびＳｃｅｌｌ  ６のＲＳＲＰが予め設定されたＲＳＲＰ閾値ｔｈｒｅ２より大きいかどうかを判断する。結果として、例えば、Ｓｃｅｌｌ  ５のＲＳＲＰのみが予め設定されたＲＳＲＰ閾値ｔｈｒｅ２より大きい。このような場合で、Ｓｃｅｌｌ  ５をＵＥ１のサービングＰｓｃｅｌｌとして直接に選択する。
【００４５】
方法３では、ＵＥが受信した各ＰｓｃｅｌｌのＲＳＲＰに基づいて判断を行うものであり、該方法が、図１に示すネットワーク構成のみに適用する。
【００４６】
ＵＥは、周りの各ＰｓｃｅｌｌのＲＳＲＰおよびＰｃｅｌｌのＲＳＲＰを受信した後、まず、受信されたＰｃｅｌｌのＲＳＲＰと、周りの各ＰｓｃｅｌｌのＲＳＲＰとの差を計算し、前記の差が予め設定されたオフセットより小さいかどうかをそれぞれ判断し、予め設定されたオフセットより小さい差が１つのみ存在している場合、この差に対応するＰｓｃｅｌｌを該ＵＥのサービングＰｓｃｅｌｌとして選択し、予め設定されたオフセットより小さい差が複数存在している場合、これらの差に対応するＰｓｃｅｌｌの中から、ＲＳＲＰが最大となるＰｓｃｅｌｌを該ＵＥのサービングＰｓｃｅｌｌとして選択する。
【００４７】
例えば、図２におけるＵＥ１は、Ｓｃｅｌｌ  １、Ｓｃｅｌｌ  ５およびＳｃｅｌｌ  ６を含む周りのＰｓｃｅｌｌのＲＳＲＰおよびＰｃｅｌｌのＲＳＲＰを受信した後、まず、ＰｃｅｌｌのＲＳＲＰと、Ｓｃｅｌｌ  １、Ｓｃｅｌｌ  ５およびＳｃｅｌｌ  ６のＲＳＲＰとの差をそれぞれ計算して、算出された差が予め設定されたオフセットｏｆｆｓｅｔより大きいかどうかを判断する。結果として、例えば、ＰｃｅｌｌのＲＳＲＰと、Ｓｃｅｌｌ  １およびＳｃｅｌｌ  ５のＲＳＲＰとの差が予め設定されたオフセットｏｆｆｓｅｔより大きい。このような場合で、さらに、Ｓｃｅｌｌ  １とＳｃｅｌｌ  ５のＲＳＲＰの大小を判断し、Ｓｃｅｌｌ  ５のＲＳＲＰがＳｃｅｌｌ  １のＲＳＲＰより大きいので、Ｓｃｅｌｌ  ５をＵＥ１のサービングＰｓｃｅｌｌとして選択する。
【００４８】
上記のステップ３０３で、ＵＥの第２受信信号品質パラメータは、具体的に、ＵＥが受信した各Ｓｓｃｅｌｌの参照信号受信品質（ＲＳＲＱ）であってよい。具体的に、上記のステップ３０３で、以下の方法により、前記ＵＥに対してサービングＳｓｃｅｌｌを追加する必要があるかどうかを決定するようにしてよい。
【００４９】
ＵＥは、周りの各ＳｓｃｅｌｌのＲＳＲＱを受信した後、まず、受信された周りの各ＳｓｃｅｌｌのＲＳＲＱが予め設定された第２のＲＳＲＱ閾値より大きいかどうかをそれぞれ判断し、受信された周りのＳｓｃｅｌｌのＲＳＲＱが予め設定された第２のＲＳＲＱ閾値より大きい場合、該Ｓｓｃｅｌｌを自局のサービングＳｓｃｅｌｌとして追加し、そのＲＳＲＱが予め設定された第２のＲＳＲＱ閾値より大きいＳｓｃｅｌｌが存在していない場合、サービングＳｓｃｅｌｌを追加する必要がないと決定する。
【００５０】
例えば、図１におけるＵＥ１は、Ｓｃｅｌｌ  ２、Ｓｃｅｌｌ  ３およびＳｃｅｌｌ  ４を含む周りのＳｓｃｅｌｌのＲＳＲＱを受信した後、まず、Ｓｃｅｌｌ  ２、Ｓｃｅｌｌ  ３およびＳｃｅｌｌ  ４のＲＳＲＱが予め設定された第２のＲＳＲＱ閾値より大きいかどうかを判断する。結果として、例えば、Ｓｃｅｌｌ  ２のＲＳＲＱが予め設定された第２のＲＳＲＱ閾値ｔｈｒｅ３より大きい場合、Ｓｃｅｌｌ２をＵＥのサービングＳｓｃｅｌｌとして追加すると決定する。
【００５１】
また、例えば、図１におけるＵＥ１は、Ｓｃｅｌｌ  ２、Ｓｃｅｌｌ  ３およびＳｃｅｌｌ  ４を含む周りのＳｓｃｅｌｌのＲＳＲＱを受信した後、まず、Ｓｃｅｌｌ  ２、Ｓｃｅｌｌ  ３およびＳｃｅｌｌ  ４のＲＳＲＱが予め設定された第２のＲＳＲＱ閾値より大きいかどうかを判断する。結果として、例えば、そのＲＳＲＱが予め設定された第２のＲＳＲＱ閾値ｔｈｒｅ３より大きいＳｓｃｅｌｌが存在していない場合、サービングＳｓｃｅｌｌを追加する必要がないと決定する。
【００５２】
上記の方法は、さらに、下記のステップを含むようにしてもよい。
【００５３】
スモールセル基地局は、ＳｓｃｅｌｌにアクセスするＵＥがあるかどうかに基づいて、Ｓｓｃｅｌｌを起動するかどうかを決定し、ＳｓｃｅｌｌにアクセスするＵＥがある場合、Ｓｓｃｅｌｌを起動し、ＳｓｃｅｌｌにアクセスするＵＥがない場合、Ｓｓｃｅｌｌを起動しない。
【００５４】
上記の干渉調整方法に対応し、本発明の実施例は、上記の方法を実行するマクロセル基地局も提供し、その構成が、図４に示す通りである。該基地局は、主に、自局のカバー範囲内のＳｃｅｌｌの配置情報に基づいて、隣接Ｐｓｃｅｌｌ間の干渉を最小にするように、これらのＳｃｅｌｌの中からＰｓｃｅｌｌを選択し、ほかのＳｃｅｌｌをＳｓｃｅｌｌとして決定して、選択結果を自局のカバー範囲内のＳｃｅｌｌに通知するＰｓｃｅｌｌ決定手段と、ＵＥがアクセスする際に、ＵＥの第１受信信号品質パラメータに基づいて、前記ＵＥのサービングＰｓｃｅｌｌを選択して、ＵＥに通知するＰｓｃｅｌｌ設定手段と、ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、ＵＥに通知するＳｓｃｅｌｌ設定手段と、を含む。
【００５５】
ここで、上記のＰｓｃｅｌｌ決定手段は、上記のステップ３０１に対応する方法１を採用して、ＰｓｃｅｌｌとＳｓｃｅｌｌを決定するようにしてよい。上記のＰｓｃｅｌｌ設定手段は、上記のステップ３０２に対応する３つの方法を採用して、ＵＥのサービングＰｓｃｅｌｌを決定するようにしてよい。Ｓｓｃｅｌｌ設定手段は、上記のステップ３０３に対応する方法を採用して、サービングＳｓｃｅｌｌを追加する必要があるかどうかを決定するようにしてよい。
【００５６】
本発明の実施例は、上記の方法を実行するほかのＰｃｅｌｌ基地局も提供し、その構成が、図５に示す通りである。該基地局は、主に、自局のカバー範囲内の各スモールセル基地局から報告されたＰｓｃｅｌｌの設定情報を受信し、自局のカバー範囲内のＰｓｃｅｌｌとＳｓｃｅｌｌを決定する設定情報受信手段と、ＵＥがアクセスする際に、ＵＥの第１の受信信号品質パラメータに基づいて、前記ＵＥのサービングＰｓｃｅｌｌを選択して、ＵＥに通知するＰｓｃｅｌｌ設定手段と、ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、ＵＥに通知するＳｓｃｅｌｌ設定手段と、を含む。
【００５７】
本実施例において、該Ｐｃｅｌｌのカバー範囲内のスモールセル基地局は、まず、上記のステップ３０１に対応する方法２または方法３を採用して、自局のＰｓｃｅｌｌの設定情報を決定して、Ｐｃｅｌｌ基地局に報告するようにしてよい。この後、上記のＰｓｃｅｌｌ設定手段は、上記のステップ３０２に対応する３つの方法を採用して、ＵＥのサービングＰｓｃｅｌｌを決定するようにしてよい。Ｓｓｃｅｌｌ設定手段は、上記のステップ３０３の方法を採用して、サービングＳｓｃｅｌｌを追加する必要があるかどうかを決定するようにしてよい。
【００５８】
上記の干渉調整方法に対応し、本発明の実施例は、上記の方法を実行するスモールセル基地局も提供し、その構成が、図６に示す通りである。該基地局は、主に、隣接Ｐｓｃｅｌｌから受けた干渉を最小にするように、自局の対応するＳｃｅｌｌの中からＰｓｃｅｌｌを選択し、自局の対応するほかのＳｃｅｌｌをＳｓｃｅｌｌとして決定する第２のＰｓｃｅｌｌ決定手段と、ＵＥがアクセスする際に、ＵＥの第１受信信号品質パラメータに基づいて、前記ＵＥのサービングＰｓｃｅｌｌを選択して、ＵＥに通知するＰｓｃｅｌｌ設定手段と、ユーザ端末（ＵＥ）がアクセスする際に、前記ＵＥの第２受信信号品質パラメータに基づいて、前記ＵＥに対してサービングＳｓｃｅｌｌを追加する必要があるかどうかを決定して、ＵＥに通知するＳｓｃｅｌｌ設定手段と、を含む。
【００５９】
ここで、上記の第２のＰｓｃｅｌｌ決定手段は、上記のステップ３０１に対応する方法２または方法３を採用して、ＰｓｃｅｌｌとＳｓｃｅｌｌを決定するようにしてよい。上記のＰｓｃｅｌｌ設定手段は、上記のステップ３０２に対応する３つの方法を採用して、ＵＥのサービングＰｓｃｅｌｌを決定するようにしてよい。Ｓｓｃｅｌｌ設定手段は、上記のステップ３０３の方法を採用して、サービングＳｓｃｅｌｌを追加する必要があるかどうかを決定するようにしてよい。
【００６０】
第２のＰｓｃｅｌｌ決定手段がステップ３０１に対応する方法２を採用する場合、第２のＰｓｃｅｌｌ決定手段は、隣接Ｓｃｅｌｌからの信号強度をリアルタイムで監視し、隣接Ｓｃｅｌｌからの干渉状況を決定する下り受信機と、自局で決定された、隣接Ｓｃｅｌｌからの干渉状況に基づいて、自局の対応するＳｃｅｌｌの中から、隣接Ｓｃｅｌｌから受けた干渉が最小となるＳｃｅｌｌをＰｓｃｅｌｌとして選択するＰｓｃｅｌｌ選択モジュールと、を含むようにしてよい。
【００６１】
第２のＰｓｃｅｌｌ決定手段がステップ３０１に対応する方法３を採用する場合、第２のＰｓｃｅｌｌ決定手段は、隣接基地局間の情報交換により、隣接基地局に対応するＳｃｅｌｌの設定情報および該隣接基地局が選択したＰｓｃｅｌｌの情報を取得する情報交換モジュールと、隣接基地局に対応するＳｃｅｌｌの設定情報および該隣接基地局が選択したＰｓｃｅｌｌの情報に基づいて、自局の対応するＳｃｅｌｌの中から、隣接Ｓｃｅｌｌから受けた干渉が最小となるＳｃｅｌｌをＰｓｃｅｌｌとして選択するＰｓｃｅｌｌ選択モジュールと、を含むようにしてよい。
【００６２】
上記のスモールセル基地局は、さらに、ＳｓｃｅｌｌにアクセスするＵＥがあるかどうかに基づいて、Ｓｓｃｅｌｌを起動するかどうかを決定し、ＳｓｃｅｌｌにアクセスするＵＥがある場合、Ｓｓｃｅｌｌを起動し、ＳｓｃｅｌｌにアクセスするＵＥがない場合、Ｓｓｃｅｌｌを起動しないＳｓｃｅｌｌ起動モジュールを含むようにしてよい。
【００６３】
上記方法および上記基地局の構成から分かるように、Ｐｓｃｅｌｌを決定する過程で、隣接Ｓｃｅｌｌの周波数帯域を十分に考慮して、隣接Ｐｓｃｅｌｌの周波数帯域が直交すること、または、隣接Ｐｓｃｅｌｌ間の干渉が最小であることをできるだけ保証するので、隣接Ｐｓｃｅｌｌ間の干渉を大幅に低減させる。同時に、Ｓｓｃｅｌｌの受信品質が比較的よいＵＥに対して、ＵＥの周りのＳｓｃｅｌｌの受信信号品質パラメータに基づいて、該ＵＥのサービングＰｓｃｅｌｌと協調して動作するＳｓｃｅｌｌを決定し、ユーザの伝送レートを保証することにより、ネットワーク容量を全体的に向上させる。実験シミュレーションにより、下記のことを発見することができる。即ち、本発明の実施例で提供されている方法によれば、ＵＥの平均スループットを６％ぐらい向上させることができる。
【００６４】
さらに、本発明の実施例に係る方法では、ユーザスケジューリングを行う際に、まず、ＵＥの周りのＰｓｃｅｌｌの受信信号品質パラメータに基づいて、サービングＰｓｃｅｌｌを選択し、その後、さらに、ＵＥの周りのＳｓｃｅｌｌの受信信号品質パラメータに基づいて、サービングＳｓｃｅｌｌを追加する必要があるかどうかを決定するようにしてよい。この方法は、全てのＳｃｅｌｌでＵＥを直接にスケジューリングするような方法と比べると、比較的小さい計算複雑度を有する。また、ＳｓｃｅｌｌにアクセスするＵＥがない場合、スモールセル基地局はＳｓｃｅｌｌを起動しないことにより、スモールセル基地局の消費電力を低減させることができる。同様に、実験シミュレーションにより、下記のことを発見することができる。即ち、本発明の実施例で提供されている方法によれば、ユーザスケジューリングの計算複雑度を３０％ぐらい低減するとともに、基地局の消費電力も３０％近く低減することができる。
【００６５】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2015015707.tif 000003
【図２】
2015015707.tif 000004
【図３】
2015015707.tif 000005
【図４】
2015015707.tif 000006
【図５】
2015015707.tif 000007
【図６】
2015015707.tif 000008